(57)【要約】      （修正有）【課題】ツイストが外側に傾斜して露出するのを防止し、鋭い先端で指や傘布を破くのを避け、使用時の安全性と傘の品質をアップすると共に、簡単に組み立てることができ、コストを下げる構造を提供する。【解決手段】上、中、下ロクロ５のジョイント台９に多数の放射状に分布する収納槽１１を設置し、対応する親骨、受骨８の片端を挿入する。ジョイント台の外周に各収納槽を貫通する環溝１２を設け、金属糸１３が各親骨、受骨を通してからそこに収納することができる。ジョイント台の外周の一部に軸方向の溝１４を設け、収納穴を具有する収納部１５を形成し、環溝と連通するため、金属糸の両端をねじってツイスト１７にしてから溝に押し込み、収納穴内に入れる。ロクロの収納部は左右対称するサイド壁及び二つのサイド壁の間に位置する外側ストッパー２０を含み、該外側ストッパーは定置された金属糸のツイストが外側に傾斜して露出するのを防止する。  【選択図】図１２
0003165320.tif 000002
【実用新案登録請求の範囲】
【請求項１】
ロクロ、ジョイント台及び収納部を含み、
該ロクロのジョイント台９に多数の放射線に分布する収納槽１１を設置し、対応する親骨６、受骨７、８の片端を挿入し、
該ジョイント台９の外周に各収納槽１１を貫通する環溝１２を設け、金属糸１３が各親骨６、受骨７、８を通してからそこに収納することができ、
該ジョイント台９の外周の一部に軸方向の溝１４を設け、収納穴１６を具有する収納部１５を形成し、環溝１２と連通するため、金属糸１３の両端をねじってツイスト１７にしてから上向きに溝１４に押し込み、収納穴１６内に入れ、
該特徴は、該ロクロの収納部に左右対称するサイド壁及び二つのサイド壁の間に位置する外側ストッパーを含み、該外側ストッパーは定置された金属糸のツイストが外側に露出するのを防止することを特徴とするロクロと骨の安全な組合せ構造。  
【請求項２】
前記ロクロの収納部の外側ストッパーに一つの導入部位を設け、金属糸のツイストは外側から内側に該導入部位を通過して、収納穴に定置につけることを特徴とする請求項１記載のロクロと骨の安全な組合せ構造。
【請求項３】
前記ロクロのジョイント台と収納部はプラスティック材質の一体化としたものであり、該収納部の外側ストッパーはジョイント台の外側縁より突出し、該導入部位に軸方向の予備断裂線を設けることを特徴とする請求項２記載のロクロと骨の安全な組合せ構造。
【請求項４】
前記収納部の外側ストッパーはジョイント台の外側縁より突出し、該導入部位に軸方向の切断線を設けることを特徴とする請求項２記載のロクロと骨の安全な組合せ構造。
【請求項５】
前記収納部の外側ストッパーはジョイント台の外側縁より突出し、該導入部位に軸方向の開口部を設置し、収納穴と連通し、該開口部の幅は金属糸のツイストの直径より小さいことを特徴とする請求項２記載のロクロと骨の安全な組合せ構造。
【考案の詳細な説明】
【技術分野】
【０００１】
本考案はロクロと骨の安全な組合せ構造に関し、特に傘の上中下ロクロと骨に金属糸を通す安全な組合せ構造に関する。
【背景技術】
【０００２】
従来技術の傘は上下のロクロがそれぞれ親骨と受骨と接続する。図１から図７に示す自動傘３１の構造では、該中棒３２に上ロクロ３３を固定し、中ロクロ３４と下ロクロ３５及びスプリング３６を套設し、更に金属糸４０で関連する親骨３７及び受骨３８、３９に通して傘布を開閉する。
【０００３】
金属糸４０を親骨３７、受骨３８、３９に通すと、両端のフリーエンドを絡めてツイスト４１にし、該ツイスト４１に二つの鋭い鋼(鉄)のエンドを具有する。傘３１を組立する過程において、金属糸４０のツイスト４１が図８に示すように、外側に傾斜して露出しやすく、作業スタッフが怪我しやすく、生産効率にも影響する。また、鋭い先端は傘布を破くこともあり、傘３１の品質も悪くなる。
【０００４】
傘３１を使用する際、ユーザーが傘を開閉する際、指は必ず下ロクロ３５のツイスト４１先端付近に触れるため、怪我しやすく、製品の信用問題にも関わる。特に傘の高級化が進むなか、ツイスト４１の先端が危険な要素を作り出しているほか、全体的な美観をも損なうため、更なる改善が必要であった。
【先行技術文献】
【特許文献】
【０００５】
【特許文献１】登録実用新案第３０８５８６０号公報
【考案の概要】
【考案が解決しようとする課題】
【０００６】
前記公知構造の欠点を解決するため、本考案はロクロに収納部及び外側ストッパーを設置し、確実に金属糸のツイストを定置付けすることで、ツイストが外側に傾斜して露出するのを防止し、鋭い先端で指や傘布を破くのを避け、使用時の安全性と傘の品質をアップすると共に、簡単に組み立てることができ、コストを下げる。
【課題を解決するための手段】
【０００７】
上述の目的を解決するために、本考案はロクロと骨の安全な組合せ構造を提供するものである。本考案のロクロのジョイント台に多数の放射線に分布する収納槽を設置し、対応する親骨、受骨の片端を挿入する。ジョイント台の外周に各収納槽を貫通する環溝を設け、金属糸が各親骨、受骨を通してからそこに収納することができる。ジョイント台の外周の一部に軸方向の溝を設け、収納穴を具有する収納部を形成し、環溝と連通するため、金属糸の両端をねじってツイストにしてから溝に押し込み、収納穴内に入れる。該特徴は、該ロクロの収納部に左右対称するサイド壁及び二つのサイド壁の間に位置する外側ストッパーを含み、該外側ストッパーは定置された金属糸のツイストが外側に傾斜して露出するのを防止することができる。
【０００８】
前記ロクロの収納部の外側ストッパーに一つの導入部位を設置し、金属糸のツイストを外側から内側に導入部位を通過して押入れ、収納穴にて定置付けする。
【０００９】
更にロクロのジョイント台と収納部はプラスティック材質の一体化としたものであり、該収納部の外側ストッパーはジョイント台の外側縁より突出し、該導入部位は軸方向の予備断裂線或いは切断線とすることができる。
【００１０】
最良実施例では、該収納部の外側ストッパーの導入部位に軸方向の開口部を設け、収納穴と連通し、該開口部の幅は金属糸のツイストの直径より小さくする。
【考案の効果】
【００１１】
本考案はジョイント台及び収納部の設置により、金属糸が親骨や受骨を通してから両端をねじってツイストにしてから収納穴内に入れる。該収納部に設置する該外側ストッパーにより、定置された金属糸のツイストが外側に傾斜して露出するのを防止し、鋭い先端が指や傘布を破くのを避け、使用時の安全性と傘の品質をアップすると共に、簡単に組み立てることができ、コストを下げる。
【図面の簡単な説明】
【００１２】
【図１】従来技術の傘の構造図である。
【図２】図１の上中下のロクロの拡大図である。
【図３】図２の上ロクロの拡大図である。
【図４】図２の中ロクロの拡大図である。
【図５】図２の下ロクロの拡大図である。
【図６】図５の下ロクロ及び受骨の立体拡大図である。
【図７】図６の下ロクロの立体図である。
【図８】図６の金属糸のツイストが外側に傾斜露出する略図である。
【図９】本考案における上中下ロクロと骨との組立構造略図である。
【図１０】図９の上ロクロの拡大図である。
【図１１】図９の中ロクロの拡大図である。
【図１２】図９の下ロクロと受骨の立体拡大図である。
【図１３】図９の下ロクロの拡大図である。
【図１４】図１２の金属糸をねじ合わせる動作図である。
【図１５】図１４に示す金属糸を上向きにツイストする略図である。
【図１６】図１５に示す金属糸のツイストを収納部に定置する立体図である。
【図１７】図１６の別の収納部の構造図である。
【産業上の利用可能性】
【００１３】
本考案の構造及び技術と効果を明確に示すために、実施例を挙げて図に沿って詳細な説明を行う。
【考案を実施するための形態】
【００１４】
図９から図１２に示すように、本考案の傘１は中棒２の周りに上中下ロクロ３、４、５を設置し、親骨６と受骨７、８を可動的に定位し、傘を開閉することができる(図に未掲載)。
【００１５】
図９から図１３に示すように、傘１の上中下ロクロ３、４、５は全てプラスティック材質のジョイント台９及び軸方向の中心穴１０を設け、ロクロ３、４、５のジョイント台９に多数の放射線に分布する収納槽１１を設置し、親骨６、受骨７、８の一端を挿入する。ジョイント台９の外周に各収納槽１１を貫通する環溝１２を設け、金属糸１３が各親骨６、受骨７、８を通してからそこに収納することができる。ジョイント台９の外周の一部に軸方向の溝１４を設け、収納穴１６を具有する収納部１５を形成し、環溝１２と連通するため、金属糸１３の両端をねじってツイスト１７にしてから上向きに溝１４に押し込み、収納穴１６内に入れる。
【実施例】
【００１６】
本考案の特徴とは、ロクロ３、４、５の収納部１５は左右対称するサイド壁１８、１９及び前後に内側壁２１と外側ストッパー２０で構成する。外側ストッパー２０によって、金属糸１３のツイスト１７を定置につけることができる。本考案の上中下ロクロ３、４、５は、収納部１５及び外側ストッパー２０が確実に金属糸１３のツイスト１７を定置につけることができるため、ツイスト１７が外側に傾斜して露出するのを防止することができ、鋭い先端が指や傘布を破くのを避け、使用時の安全性と傘１の品質をアップすると共に、簡単に組み立てることができ、コストを下げる。  
【００１７】
引き続き本考案のロクロ３、４、５及び骨６、７、８の安全な組立構造を説明する。図９から図１３に示すように、下ロクロ５を例に説明する。下ロクロ５は収納部１５の外側ストッパー２０の中央に一つの導入部位２２を設け、該金属糸１３のツイスト１７を外側から内側に導入部位２２を通って収納穴１６に定置する。図に示すように、ロクロ５のジョイント台９と収納部１５はプラスティック材質の一体化のものであり、収納部１５の外側ストッパー２０はジョイント台９の外側縁から突出し、弾力性を備える。導入部位２２に軸方向の予備断裂線２３或いは軸方向切断線を設けることで、金属糸１３のツイスト１７が図１４、図１５及び図１６に示すように、上向きに内側に強く予備断裂線２３或いは切断線に向けて押し入り、確実に収納穴１６内に定置する。
【００１８】
図１７に示すように、ロクロ５と受骨８の安全な組立構造は、ロクロ５の収納部１５の外側ストッパー２０の中央にある導入部位２４に軸方向の開口部２５を設置し、収納穴１６と連通する。また、開口部２５の幅は金属糸１３のツイスト１７の直径より小さいため、ツイスト１７は無理に押して開口部２５に入れ、確実に収納穴１６内に定置する。
【００１９】
本考案が従来技術の不足と欠点を解決するポイントは、ロクロ３、４、５は収納部１５及び該外側ストッパー２０により、確実に金属糸１３のツイスト１７を定置につけることができ、ツイスト１７が外側に傾斜して露出するのを防止することができると共に、鋭い先端で指と傘布を破くのを避け、使用時の安全性と傘の品質をアップすると共に、簡単に組み立てることができ、コストを下げる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１、 傘
２、 中棒
３、 上ロクロ
４、 中ロクロ
５、 下ロクロ
６、 親骨
７、 受骨
８、 受骨
９、 ジョイント台
１０、 中心穴
１１、 収納槽
１２、 環溝
１３、 金属糸
１４、 溝
１５、 収納部
１６、 収納穴
１７、 ツイスト
１８、 サイド壁
１９、 サイド壁
２０、 外側ストッパー
２１、 内側壁
２２、 導入部位
２３、 予備断裂線
２４、 導入部位
２５、 開口部
【図１】
0003165320.tif 000003
【図２】
0003165320.tif 000004
【図３】
0003165320.tif 000005
【図４】
0003165320.tif 000006
【図５】
0003165320.tif 000007
【図６】
0003165320.tif 000008
【図７】
0003165320.tif 000009
【図８】
0003165320.tif 000010
【図９】
0003165320.tif 000011
【図１０】
0003165320.tif 000012
【図１１】
0003165320.tif 000013
【図１２】
0003165320.tif 000014
【図１３】
0003165320.tif 000015
【図１４】
0003165320.tif 000016
【図１５】
0003165320.tif 000017
【図１６】
0003165320.tif 000018
【図１７】
0003165320.tif 000019